(57)【要約】      （修正有）【課題】皮革バンドやウレタン・シリコンバンドのように尾錠孔を備えた時計バンド用の三つ折り式中留構造において、三つ折り状態を解除するためのプッシュボタンを備えるプッシュ箱の安定性を高めた三つ折り式中留構造を提供する。【解決手段】中レール２０と外レール３０と上箱４０とを三つ折り可能に連結した三つ折り式の時計バンド用中留構造１０である。外レール３０は、一対のレール材３１，３１で三つ折り状態の中レール２０を内側に収納する収納部３２を有するとともに、中レール２０に設けられた係止用突起部２２を係止するためのプッシュ箱５０をその一対のレール材３１，３１に渡すようにして固定したことを特徴とする。【選択図】図１
0003193407.tif 000002
【実用新案登録請求の範囲】
【請求項１】
中レールと外レールと上箱とを三つ折り可能に連結した三つ折り式の時計バンド用中留構造であって、
外レールは、一対のレール材で三つ折り状態の中レールを内側に収納する収納部を有するとともに、中レールに設けられた係止用突起部を係止するためのプッシュ箱をその一対のレール材に渡すようにして固定したことを特徴とする時計バンド用中留構造。
【請求項２】
請求項１記載の時計バンド用中留構造を備えたことを特徴とする時計バンド。
【請求項３】
請求項２記載の時計バンドを備えたことを特徴とする腕時計。
【考案の詳細な説明】
【技術分野】
【０００１】
本願考案は、三つ折り可能に連結した三つ折り式の時計バンド用中留構造に関するものである。
【背景技術】
【０００２】
従来、皮革バンドやウレタン・シリコンバンドのように尾錠孔を備えた時計バンド用の三つ折り式中留構造には、特許文献１や特許文献２に開示されたものがある。特許文献１の中留構造は、図５に示すように、下板部材８と中板部材１４と枠部材２８とを備えた中留構造１であって、プッシュボタンケース本体２４が、中板部材１４と挿通枠１８の間に位置し、中板部材１４の他方の端部に、折り畳み可能に連結されている。そして、下板部材８の係止ピン３が、プッシュボタンケース本体２４に係止する構造となっている。符号は、図５のものである。
【０００３】
また、特許文献２の中留構造は、図６に示すように、下板２０と中板３０と上箱５０からなる中留構造１０であって、下板２０に設けられた係止用突起部２１を係止するための中箱４０を、中板３０と上箱５０の間に回動自在に介在させてなることを特徴とするものである。符号は、図６のものである。
【０００４】
【特許文献１】特開２００６−１１５９９２号公報
【特許文献２】特開２００８−０６１８４２号公報
【考案の概要】
【考案が解決しようとする課題】
【０００５】
上記する特許文献１及び特許文献２に開示されている中留構造は、三つ折り状態を解除するためのプッシュボタンを備えるプッシュ箱（特許文献１では「プッシュボタンケース本体２４」、特許文献２では「中箱４０」のこと）が回動可能な構造になっていた。このため、プッシュ箱はフリーな状態にあり、不安定な要因にもなっていた。
【０００６】
これに対して、本願考案者は、このプッシュ箱の不安定な状態を解消し、その安定性を高めた三つ折り式中留構造を提供すべく、鋭意開発・試験を行い、本願考案を完成するに至った。
【課題を解決するための手段】
【０００７】
本願考案の第１の考案は、中レールと外レールと上箱とを三つ折り可能に連結した三つ折り式の時計バンド用中留構造であって、外レールは、一対のレール材で三つ折り状態の中レールを内側に収納する収納部を有するとともに、中レールに設けられた係止用突起部を係止するためのプッシュ箱をその一対のレール材に渡すようにして固定したことを特徴とする時計バンド用中留構造である。
第２の考案は、上記第１から第３の考案に係る時計バンド用中留構造を備えたことを特徴とする時計バンドである。
第３の考案は、上記第４の考案に係る時計バンドを備えたことを特徴とする腕時計である。
【考案の効果】
【０００８】
本願考案によれば、以下のような効果を有する。
（１）本願考案は、プッシュ箱を外レールに固定するとともに、その外レールが中レールを挟むようにして一対（２本）のレール材から構成されているので、外レールに固定されたプッシュ箱は回動せずに安定し、しかもその安定性が非常に高まる。
（２）すなわち、仮に、前記した特許文献１の中板部材１４や特許文献２の中板３０など１本のレール材からなる部材にプッシュ箱を固定しても十分な安定性が出ない。本願考案の一対（２本）のレール材から構成される外レールに固定することでプッシュ箱に十分な安定性が出ることになるのである。
（３）なお、１本のレール材からなる中レールが、時計バンドの一端に略コ字形の継手駒を介し、連結ピンで連結することで接続されるので、時計バンドの一端に凹部を形成していない既存の種々のタイプ・サイズの時計バンドに対しても対応（取り付け）できる。
【図面の簡単な説明】
【０００９】
【図１】本願考案に係る時計バンド用中留構造を示す全体説明図。
【図２】本願考案に係る時計バンド用中留構造を示す部分説明図（１）。
【図３】本願考案に係る時計バンド用中留構造を示す部分説明図（２）。
【図４】本願考案に係る時計バンド用中留構造を示す部分説明図（３）。
【図５】従来例（特許文献１）を示す説明図。
【図６】従来例（特許文献２）を示す説明図。
【考案を実施するための形態】
【００１０】
本考案の実施形態を図面に基づいて説明する。
図１は、本願考案に係る時計バンド用中留構造を示す全体説明図である。
まず、時計バンド用中留構造１０（中留構造１０）は、中レール２０と外レール３０と上箱４０とを三つ折り可能に連結している。
【００１１】
外レール３０は、一対（２本）のレール３１，３１から構成されており、三つ折り状態で１本のレール材２１からなる中レール２０を内側に収納する収納部３２を有する。また、外レール３０は、中レール２０に設けられた係止用突起部２２を係止するためのプッシュ箱５０を一対（２本）のレール材３１，３１に渡すようにして固定している。
なお、上箱４０は、皮革バンドやウレタン・シリコンバンドの尾錠孔に挿入するツク棒４１を備え、バンドの長さ調整を可能にしながら接続する。
【００１２】
図２は、外レール３０とプッシュ箱５０の構造を図示した部分説明図である。
プッシュ箱５０は、同種の中留構造に一般的に用いられているプッシュ式の箱であり、互いに交差して中レール２０の係止用突起部２２を係止する係止部５１を有する一対の反発する係止片を内蔵したものであって、この係止片の一部がプッシュボタン５２として表出している。そして、このプッシュ箱５０を外レール３０の一対（２本）のレール材３１，３１に渡して（横架して）、ねじ等で固定している。但し、固定方法は図示のものに限定されない。
【００１３】
図３は、中レール２０と外レール３０とプッシュ箱５０の構造を図示した部分説明図である。
図示するように、プッシュ箱５０を外レール３０に固定するとともに、その外レール３０が中レール２０を挟むようにして一対（２本）のレール材３１，３１から構成されているので、外レール３０を横架するように固定されたプッシュ箱５０は回動せずに安定し、しかもその安定性が非常に高まる。
【００１４】
図４は、中レール２０と時計バンドの構造を図示した部分説明図である。
図４で図示する構造は、１本のレール材２１からなる中レール２０が、時計バンド６５の一端に略コ字形の継手駒８０を介し、連結ピン（ここでは、段ピン７０とＣリング７１を使用しているが、これに限定されるものではない。）で連結することで接続されるものである。この接続構造は、既存の種々のタイプ・サイズの時計バンドに対して対応（取り付け）できる汎用性の高いものである。
【産業上の利用可能性】
【００１５】
本願考案は、皮革バンドやウレタン・シリコンバンドのように尾錠孔を備えた時計バンドの三つ折れ式の中留構造として幅広く利用できるものである。
【符号の説明】
【００１６】
１０  時計バンド用中留構造（中留構造）
２０  中レール
２１  レール材
２２  係止用突起部
３０  外レール
３１  レール材
３２  収納部
４０  上箱
４１  ツク棒
５０  プッシュ箱
５１  係止部
５２  プッシュボタン
６５  時計バンド
７０  段ピン
７１  Ｃリング
８０  継手駒
【図１】
0003193407.tif 000003
【図２】
0003193407.tif 000004
【図３】
0003193407.tif 000005
【図４】
0003193407.tif 000006
【図５】
0003193407.tif 000007
【図６】
0003193407.tif 000008